(57)【要約】      （修正有）【課題】簡単な構成で締結部分の弛み防止を図ることができ、必要事にはナットを弛め取外すことが可能な弛み防止ボルトを提供する。【解決手段】ボルト軸部１に雄ネジ部と、その先端部に拡張部を有すると共に、基端部に複数の割り溝を設け、しかも、長手方向に雌ネジ部を有する補助ボルトＢ挿入穴を内部に設けた中空筒状部と、前記ボルト軸部１の雄ネジ部に挿入する弾性体を有する座金Ｃと、螺合されるナットで構成したボルト部Ａを有し、ボルト軸部３に雄ネジ部と、拡径テーパ部を有する補助ボルトＢを前記中空筒状部に螺合することで、前記ボルト軸部１の前記拡張部を拡張する前記ボルトＢを具備すること。【選択図】図１
2009299885.tif 000002
【特許請求の範囲】
【請求項１】
ボルト軸部１に雄ネジ部と、その先端部に拡張部を有すると共に、基端部に複数の割り溝を設け、しかも、長手方向に雌ネジ部を有する補助ボルトＢ挿入穴を内部に設けた中空筒状部と、前記ボルト軸部１の雄ネジ部に挿入する弾性体を有する座金Ｃと、螺合されるナットで構成したボルト部Ａを有し、ボルト軸部３に雄ネジ部と、拡径テーパ部を有する補助ボルトＢを前記中空筒状部に螺合することで、前記ボルト軸部１の前記拡張部を拡張する前記ボルトＢを具備することを特徴とする弛み防止ボルト。
【請求項２】
ボルト軸部１に雄ネジ部と、その先端部に拡張部を有すると共に、基端部に複数の割り溝を設け、しかも、長手方向に複数の作業工具挿入穴を設けた中空筒状部と、前記ボルト軸部１の雄ネジ部に挿入する弾性体を有する座金Ｃと、螺合されるナットで構成することを特徴とする弛み防止ボルト。
【発明の詳細な説明】
【技術分野】
【０００１】  本発明は、複数のボルトにナットを組合わせて締結した後に、締結ボルトでナットの弛み防止を図ることができる弛み防止ボルトに関する。
【背景技術】
【０００２】  従来は、ナットによる締結は、比較的小さな力で締結力を発揮でき、締結後には締付けを増締めしたり、弛めたりできるので一般的に使用されていた。しかし、振動や衝撃のある部分を締結しているナットでは、自然と締付けが弛んで、確実な締結力を維持することができない。このため、ナットの弛め止めとして割りピン・スプリング座金・ロックナット等を用いた方法などがある。
【特許文献１】  特許第２８８８５５３号公報
【発明の開示】
【発明が解決しようとする課題】
【０００３】  従来のナットによる締結は、例えば建築物の構造材などの締結に広く利用されている。
しかし、ナットによる締結では、木材等の経年変化（乾燥等）による木痩せなどで効果的に弛みを防止することは困難である。割りピン・スプリング座金・ロックナット・ゴム等であっても容易に締結部分を弛められてしまう。例えば、接着剤等により固定する方法の場合、作業労力を必要とし、また、ナットを弛める必要を生じるときには、容易に弛めることができなくなる。
従って、本発明の目的は、簡単な構成だ締結部分の弛み防止を図ることができ、必要事にはナットを弛め取外すことが可能な弛み防止ボルトを提供するものである。
【課題を解決するための手段】
【０００４】  請求項１記載の発明は、ボルト軸部１に雄ネジ部と、その先端部に拡張部を有すると共に、基端部に複数の割り溝を設け、しかも、長手方向に雌ネジ部を有する補助ボルトＢ挿入穴を内部に設けた中空筒状部と、前記ボルト軸部１の雄ネジ部に挿入する弾性体を有する座金Ｃと、螺合されるナットで構成したボルト部Ａを有し、ボルト軸部３に雄ネジ部と、拡径テーパ部を有する補助ボルトＢを前記中空筒状部に螺合することで、前記ボルト軸部１の前記拡張部を拡張する前記ボルトＢを具備することを特徴とする弛み防止ボルトである。【０００５】  請求項２記載の発明は、ボルト軸部１に雄ネジ部と、その先端部に拡張部を有すると共に、基端部に複数の割り溝を設け、しかも、長手方向に複数の作業工具挿入穴を設けた中空筒状部と、前記ボルト軸部１の雄ネジ部に挿入する弾性体を有する座金Ｃと、螺合されるナットで構成することを特徴とする弛み防止ボルトである。
なお、請求項１及び２記載の発明の「弾性体を有する座金Ｃ」とは、弾性体と座金が一体となった形状であり、それにナットを単独で締付ける構成である。また、前記座金Ｃとナットの中間に使用用途により数枚の弾性体を重ね、伸縮幅を調整することも可能である。なお、弾性体と座金の位置は逆になてもよく、さらに、複数の弾性体類・座金・ナットを個々に分離した状態で使用しても良い。
【発明の効果】
【０００６】  請求項１記載の発明は、ボルト部Ａのボルト軸部１に前記座金Ｃを挿入し、前記ナットを螺合する。その後、前記中空筒状部の前記挿入穴に、前記雄ネジ部と前記テーパ部を有する前記ボルトＢで螺合することで、前記ボルト部Ａ先端部の前記拡張部を拡張するとともに、前記ボルトＢの前記テーパ部によって、前記割り溝が外側に突出し拡張することで振動・衝撃・熱変化などで、前記ナットがボルト部Ａから外れて脱落することを防止することができる。
次に、本発明のボルト施工後に、前記ナットと前記ボルトＢを再度締付けることもできるので、前記ナットを弛みにくくすることができる。従って、木材等のような経年変化（乾燥等）による木痩せした場合でも、前記ボルトＢでの螺合による前記座金Ｃの作用で、前記ナットが戻ることはなく弛みを防止できることが可能である。
また、前記ボルトＢを前記中空筒状部に螺合する際に、前記拡張部で拡張された前記割り溝を介在した雌ネジ部が前記ボルトＢに対して、前記テーパ部に摩擦力を発生させるので前記ナットをさらに弛みにくくできる。
また、時間の経過と共に締結力が低下した場合でも、前記ナットを再び締付けて締結力の低下を補うことができる。しかも、相乗効果として前記ボルトＢが、仮に不可抗力等で外れたとしても先端部が拡張した状態なので、前記ナットは人為的に取外さない限り外れる可能性がない。
請求項２記載の発明は、ボルト軸部１に雄ネジ部と、その先端部に拡張部を有すると共に、基端部に複数の割り溝を設け、しかも、長手方向に複数の作業工具挿入穴を設けた中空筒状部と、前記ボルト軸部１の雄ネジ部に挿入する弾性体を有する座金Ｃと、螺合されるナットで構成することを特徴とする弛み防止ボルトである。【０００７】  請求項１及び２の共通事項として、本発明の弛み防止ボルトを締結後に前記ナットを戻す場合、前記拡張部からなる前記割り溝と前記雄ネジ部を介在し、前記ナットを工具類で戻す方向に回転することで、前記割り溝が徐々に縮小されるので前記ナットを戻すことが可能となる。
さらに、締結後に取外して再使用することも可能である。その際、使用した前記ボルト軸部１の基端部が拡張した状態となるので、再使用する場合に考慮して基端部に、前記ナットを螺合しやすいように、雄ネジ部外面より前記中空筒状部に対して傾斜角Ｘを設ける形状としてある。
【発明を実施するための最良の形態】
【０００８】（実施形態１）以下、実施例を図面を参照して説明する。
図１に示すように、請求項１記載の弛み防止ボルトは、ボルト軸部１に雄ネジ部１ｅと、長手方向に雌ネジ部１ｃを有する前記Ｂ挿入穴を内部に設けた中空筒状部１ｄ（具体的には円筒状）と、ボルト軸部１の雄ネジ部１ｅに挿入する弾性体４ａを有する座金Ｃと、螺合されるナット２で構成されたボルト部Ａと、ボルト軸部１の中空筒状部１ｄに螺合する補助ボルトＢで構成されている。
なお、ボルト軸部１と、座金Ｃと、ナット２と、補助ボルトＢとは、ここでは金属製の部材であるが、金属に限定されず金属以外の材料で構わない。【０００９】（実施形態２）ボルト軸部１の先端部には、割り溝１ｂの拡張部１ａが形成されている。拡張部１ａは、ボルト軸部１の基端部から中空筒状部１ｄに補助ボルトＢを螺合することによって拡張される。補助ボルトＢの頭部には、拡張部１ａへの挿入を容易にし、拡張するためにテーパ部３ｂが形成されている。【００１０】（実施形態３）ボルト軸部１の基端部の拡張部１ａは、ナット２を螺合されるように雄ネジ１ｅ形状に形成されている。また、ボルト軸部１の先端部は、割り溝１ｂが設けられた拡張部１ａとなっている。【００１１】（実施形態４）本発明の弛み防止ボルトを用いて建築物の構造材や石材・金属・コンクリート等の接合部からなる対象物Ｙを固定するには、まず、図４に示すように、弾性体４ａと座金４ｂと、座金Ｃと、ナット２からなるボルト部Ａを拡張部１ａ側から接続する対象物Ｙａに形成されている連結穴Ｚに通し、さらに、対象物Ｙの連結穴Ｚに挿入して、座金Ｃと、ナット２を対象物Ｙに押し当て座金Ｃと、ナット２で締結する。【００１２】（実施形態５）次に図１に示すように、ボルト軸部１の基端部側から中空筒状部１ｄに補助ボルトＢをドライバー等で螺合し、ボルト軸部１の先端部の拡張部１ａを拡張させて、ボルト部Ａを対象物Ｙ・Ｙａに固定する。ボルト軸部１への補助ボルトＢの螺合は、座金Ｃと、ナット２をボルト軸部１の拡張部１ａの所に螺合した状態で行い、ボルト軸部１に螺合した補助ボルトＢの先端部は、拡張部１ａを拡張させるところまで行う。【００１３】（実施形態６）補助ボルトＢの構成を説明する。補助ボルトＢは、ボルト軸部３に雄ネジ部３ａとテーパ部３ｂを有し、頭部に補助ボルトＢを螺合させるべき回転操作部３ｃを設けるものである。この回転操作部３ｃの頭部は、図示例では十字穴であるが、特別に限定されず、例えば六角形状等で形成されても良い。補助ボルトＢを用いて建築物の構造材等に対象物Ｙを固定するには、補助ボルトＢの回転操作によってボルト軸部３の雄ネジ部３ａを、ボルト部Ａの座金Ｃとナット２を介在し雌ネジ部１ｃに螺合することで、中空筒状部１ｄ低部に突き当たった所で拡張部１ａが拡張することで完了となる。【００１４】（実施形態７）図２に示すように、請求項１記載の弛み防止ボルトは、ボルト軸部１に雄ネジ部１ｅと、その先端部に拡張部を１ａ有すると共に、基端部に複数の割り溝１ｂを設け、しかも、長手方向に円筒部を有する複数の作業工具５挿入穴を内部に設けた中空筒状部１ｄと、ボルト軸部１の雄ネジ部１ｅに挿入する弾性体４ａを有する座金Ｃと、螺合されるナット２から構成される弛み防止ボルトである。
使用方法としては、対象物Ｙ・Ｙａにボルト軸部１ａを挿入し、雄ネジ部１ｃに座金Ｃを挿入して、ナット２を螺合後に、中空筒状部１ｄに複数の作業工具５（例えば、先端が円錐状の釘締め・ポンチ類）を、ハンマー等で打込むことで、ボルト軸部１の拡張部１ａを拡張することで弛み防止の機能を果たすことができる。
【図面の簡単な説明】
【００１５】
【図１】  請求項１の分解図と斜視図を兼用したものである。
【図２】  請求項２の分解図と斜視図を兼用したものである。
【図３】  請求項１の平面図である。
【図４】  請求項１の側面図である。
【図５】  請求項１の断面図である。
【符号の説明】
【００１６】Ａ  ボルト部、Ｂ  補助ボルト、Ｃ  弾性体を有する座金
１、３  ボルト軸部
１ａ  拡張部
１ｂ  複数の割り溝
１ｃ  雌ネジ部
１ｄ  中空筒状部
１ｅ、３ａ  雄ネジ部
２  ナット
３ｂ  拡径テーパ部
３ｃ  回転操作部
４ａ  弾性体（スプリング・ゴム等）
４ｂ  座金
５  複数の作業工具
Ｘ  傾斜角
Ｙ  対象物、Ｙａ  接続する対象物
Ｚ  連結穴
【図１】
2009299885.tif 000003
【図２】
2009299885.tif 000004
【図３】
2009299885.tif 000005
【図４】
2009299885.tif 000006
【図５】
2009299885.tif 000007